(57)【特許請求の範囲】
【請求項１】
固定支持手段に固定された駆動モータで回転制御される駆動プーリと、前記固定支持手段の所要位置に回転自在に配設された従動プーリと、これらプーリの外周間に掛装される無端状の図柄ベルトとからなり、前記駆動モータの駆動回転下に前記図柄ベルトを回転移動させて図柄表示を行なう図柄組合わせ遊技機用の図柄可変表示装置において、
前記固定支持手段における前記駆動プーリと前記従動プーリとの間に、前記図柄ベルトの前側帯部分を裏側から支持するアイドルプーリを設置し、かつこのアイドルプーリにおける外周面の前縁を、前記駆動プーリおよび従動プーリの各外周面の前縁を結ぶ接線より、所要量だけ前方へオフセットした状態に配設し、図柄ベルトの前側帯部分が、前記アイドルプーリの外周面に支持されて前側へ湾曲して延在するよう構成し、
前記従動プーリおよび前記アイドルプーリの後方側に、前記駆動プーリと該従動プーリとの間に亘る前記図柄ベルトの後側帯部分の裏側に向けて付勢されて、該後側帯部分の裏側を支持するテンションプーリを配設し、
前記プーリの夫々は、リム部およびスポーク部を夫々有する第１半体と第２半体とを前記固定支持手段の一側に支持された軸に対して組み付けて、図柄ベルトの幅方向の両側端部に対応するように第１半体のリム部および第２半体のリム部を相互に離間配置し、一方のリム部の外周面で図柄ベルトの一側縁を回転支持すると共に、他方のリム部の外周面で該図柄ベルトの他側縁を回転支持するよう構成し、
前記駆動プーリ、従動プーリおよびアイドルプーリは、前記軸および前記固定支持手段側に配置される第１半体に対して該軸の開放端側に配置される第２半体を分離可能に組み付けると共に、前記テンションプーリは、第１半体および第２半体を支持するアームを、前記固定支持手段の一側に片持ち支持された揺動支軸に対して揺動可能に組み付け、
前記プーリの中で前記駆動プーリの固定支持手段側に位置するリム部の外周面だけに所要間隔毎に突起を形成し、該突起が前記図柄ベルトの固定支持手段側の側縁だけに形成された係止孔に係合したもとで図柄ベルトが回転移動されるよう構成した
ことを特徴とする図柄組合わせ遊技機用の図柄可変表示装置。
【請求項２】
前記駆動プーリは、前記第１半体および第２半体を前記固定支持手段の一側に配設した前記駆動モータの水平に延在する駆動軸に対して分離可能に組み付けた際に、前記固定支持手段側に位置する第１半体のリム部の内側に駆動モータが収容されるよう構成した請求項１記載の図柄組合わせ遊技機用の図柄可変表示装置。
【請求項３】
前記従動プーリおよび前記アイドルプーリは、前記固定支持手段の一側に水平に延在する回転支軸に外嵌される支持筒部およびこの支持筒部の側部にスポーク部を介して形成されたリム部とからなる第１半体と、前記回転支軸に外嵌される支持筒部およびこの支持筒部の側部にスポーク部を介して形成されたリム部とからなる第２半体とを、該回転支軸に対して独立して回転支持するよう構成した請求項１または２記載の図柄組合わせ遊技機用の図柄可変表示装置。
【請求項４】
前記テンションプーリは、前記固定支持手段の一側に水平に延在する揺動支軸に対して揺動可能に支持されたアームの端部に、回転支軸を介して第１半体と第２半体とが該アームに対して独立して回転支持されるよう構成した請求項１〜３の何れか一項に記載の図柄組合わせ遊技機用の図柄可変表示装置。
【発明の詳細な説明】
【０００１】
【発明の属する技術分野】
この発明は、図柄組合わせ遊技機用の図柄可変表示装置に関し、更に詳細には、固定支持手段に固定された駆動モータで回転制御される駆動プーリと、前記固定支持手段の所要位置に回転自在に配設された従動プーリと、これらプーリの外周間に掛装される無端状の図柄ベルトとからなり、前記駆動モータの駆動回転下に前記図柄ベルトを回転移動させて図柄表示を行なう図柄組合わせ遊技機用の図柄可変表示装置に関するものである。
【０００２】
【従来の技術】
パチンコ機やスロットマシンに代表されるこの種の遊技機においては、図柄組合わせゲーム用の実体表示部として、一般には回転ドラム式の図柄可変表示装置、回転ベルト式の図柄可変表示装置、液晶式の図柄可変表示装置等が採用されている。このうち、回転ドラム式の図柄可変表示装置では、図柄の多数化や大型化に対応するべく図柄ドラムの大型化(大径化)を図る場合、大型のモータが必要になってコスト高になると共に、装置自体の前後サイズが大きくなって遊技機に設置した際に裏側へ大きく突出してしまう不都合を生じ、図柄組合わせゲームにおける表示内容の多様化に充分に応え得ない問題を内在していた。そこで、前記回転ドラム式の図柄可変表示装置に内在する問題を解決し得るものとして、前述した回転ベルト式の図柄可変表示装置が採用されるに至った。
【０００３】
例えば図８および図９は、パチンコ機における回転ベルト式の図柄可変表示装置Ｍの実体表示部とされて、収容ケース部材２０内に並列状態で収容設置される３基の図柄表示ユニットＵのうちの１基を概略的に示す側断面図である。この図柄表示ユニットＵは、当該ユニットＵの支持板ともされて前記収容ケース部材２０内に位置決め保持される駆動基板兼用の１枚のセット板(固定支持手段)３０と、このセット板３０に固定された駆動モータ３２および張力調整用を含む３個のプーリ３３,３４,３５を有する回転駆動制御機構３１と、この回転駆動制御機構３１における各プーリ３３,３４,３５の外周間に無端状態で掛装されたフィルム製でマーク式の図柄ベルト３７と、図柄ベルト３７の移動過程で図柄７１の位置検出を行なう光学的な検出手段３８と、図柄ベルト３７の前側帯部分３７ａにおける表示領域に到来した図柄７１を内側から照明する照明手段３９とから基本的に構成され、前記セット板３０単位にユニット化されて取扱い得るようになっている。
【０００４】
前記図柄表示ユニットＵを内蔵した回転ベルト式の図柄可変表示装置Ｍでは、パチンコ機の遊技盤Ｈ裏側に対して収容ケース部材２０単位で容易に位置決めセットされ、この状態においては、各図柄表示ユニットＵにおける図柄ベルト３７の前記前側帯部分３７ａが、遊技盤Ｈに設けた大型装飾部品１３の透視表示窓１４へ臨み、該前側帯部分３７ａへ到来した図柄７１が透視表示窓１４を介して視認され得るようになる。そして、遊技機でのゲーム開始に伴って遊技盤Ｈ内の始動入賞用スイッチによる検出信号(始動信号)が図示しない制御基板に入力されると、該制御基板によって設定された所要の変動パターンに基づいて前記駆動モータ３２が駆動することで図柄ベルト３７が回転変動し、当該変動パターン終了後に予め設定された所定図柄７１を前記前側帯部分３７ａの停止表示位置に停止させることで、当該図柄７１が透視表示窓１４に形成した表示ライン上に整合するようになっている。
【０００５】
【発明が解決しようとする課題】
このような回転ベルト式の図柄可変表示装置Ｍでは、前述した回転ドラム式の図柄可変表示装置に比べて、前後方向のサイズを大きくすることなく表示領域をある程度大きくすることが可能となり、図柄７１の大型化や図柄コマ数の増加を図って図柄組合わせゲームにおける表示内容の多様化にある程度は対応し得る。しかしながら、図９に示すように、前記駆動プーリ３３、従動プーリ３４、テンションプーリ３５は直径寸法や形状等に多少の差異はあるが、何れも前記図柄ベルト３７の裏面の幅方向全域に接触する幅広のリム部を有する筒体形状にとされ、軽量な合成樹脂から成形されているとしても軽量化には限界があった。
【０００６】
このため、各プーリ３３,３４,３５は慣性が大きくなり、前記駆動モータ３２の起動・停止による図柄ベルト３７の加速時および減速時には、前記駆動モータ３２に対する負荷が増大してしまう等の問題を内在していた。また、駆動モータ３２の回転変動に対する応答性が悪化して誤動作の原因となると共に、図柄ベルト３７と各プーリ３３,３４,３５との間に慣性滑りが生じ易くなり、この滑りを起因とした該ベルト３７裏面の摩耗や擦傷の発生等も大きな問題となっていた。更には、前述したように、駆動プーリ３３、従動プーリ３４およびテンションプーリ３５が図柄ベルト３７の裏面全面に亘って接触するから、塵埃やタバコのヤニ等による汚れ付着等が生じ易い不都合も指摘される。
【０００７】
【発明の目的】
本発明は、前述した従来の技術に内在している前記課題に鑑み、これを好適に解決するべく提案されたものであって、図柄ベルトを展張保持するプーリの全てを、幅方向の両端部位にリム部を設けた形態として軽量化を図ることで、駆動モータの負荷軽減や誤動作防止、図柄ベルト裏面の摩耗や擦傷の発生等を防止するようにした図柄組合わせ遊技機用の図柄可変表示装置を提供することを目的とする。
【０００８】
【課題を解決するための手段】
前述した課題を克服し、所期の目的を好適に達成するため本発明は、
固定支持手段(30)に固定された駆動モータ(32)で回転制御される駆動プーリ(33)と、前記固定支持手段(30)の所要位置に回転自在に配設された従動プーリ(34)と、これらプーリ(33,34)の外周間に掛装される無端状の図柄ベルト(37)とからなり、前記駆動モータ(32)の駆動回転下に前記図柄ベルト(37)を回転移動させて図柄表示を行なう図柄組合わせ遊技機用の図柄可変表示装置において、
前記固定支持手段(30)における前記駆動プーリ(33)と前記従動プーリ(34)との間に、前記図柄ベルト(37)の前側帯部分(37a)を裏側から支持するアイドルプーリ(36)を設置し、かつこのアイドルプーリ(36)における外周面(67a,67b)の前縁を、前記駆動プーリ(33)および従動プーリ(34)の各外周面(51a,57a)の前縁を結ぶ接線より、所要量だけ前方へオフセットした状態に配設し、図柄ベルト(37)の前側帯部分(37a)が、前記アイドルプーリ(36)の外周面(67a,67b)に支持されて前側へ湾曲して延在するよう構成し、
前記従動プーリ(34)および前記アイドルプーリ(36)の後方側に、前記駆動プーリ(33)と該従動プーリ(34)との間に亘る前記図柄ベルト(37)の後側帯部分(37b)の裏側に向けて付勢されて、該後側帯部分(37b)の裏側を支持するテンションプーリ(35)を配設し、
前記プーリ(33,34,35,36)の夫々は、リム部(51,51/57,57/67,67/79,79)およびスポーク部(52,52/59,59/68,68/78,78)を夫々有する第１半体(34A,35A,36A,49)と第２半体(34B,35B,36B,50)とを前記固定支持手段(30)の一側に支持された軸(32a,55,63,65)に対して組み付けて、図柄ベルト(37)の幅方向の両側端部に対応するように第１半体(34A,35A,36A,49)のリム部(51,57,67,79)および第２半体(34B,35B,36B,50)のリム部(51,57,67,79)を相互に離間配置し、一方のリム部(34A,35A,36A,49)の外周面(51a,57a,67b,79a)で図柄ベルト(37)の一側縁を回転支持すると共に、他方のリム部(34B,35B,36B,50)の外周面(51a,57a,67a,79a)で該図柄ベルト(37)の他側縁を回転支持するよう構成し、
前記駆動プーリ(33)、従動プーリ(34)およびアイドルプーリ(36)は、前記軸(32a,55,65)および前記固定支持手段(30)側に配置される第１半体(34A,36A,49)に対して該軸(32a,55,65)の開放端側に配置される第２半体(34B,36B,50)を分離可能に組み付けると共に、前記テンションプーリ(35)は、第１半体(35A)および第２半体(35B)を支持するアーム(61)を、前記固定支持手段(30)の一側に片持ち支持された揺動支軸(60)に対して揺動可能に組み付け、
前記プーリ(33,34,35,36)の中で前記駆動プーリ(33)の固定支持手段(30)側に位置するリム部(51)の外周面(51a)だけに所要間隔毎に突起(53)を形成し、該突起(53)が前記図柄ベルト(37)の固定支持手段(30)側の側縁だけに形成された係止孔(70)に係合したもとで図柄ベルト(37)が回転移動されるよう構成したことを特徴とする。
【０００９】
【作用】
各図柄表示ユニットにおいて、図柄ベルトを外周に展張掛装する各プーリの全てを、幅方向の両側端部に所要幅のリム部を設けた形態として軽量化することで、駆動モータの負荷軽減や誤動作防止を図る。また、駆動モータに固定される駆動プーリを除くプーリを、２分割にして固定支持手段に対して独立して回転可能に設置すれば各プーリの慣性が大幅に軽減され、駆動モータに対する負荷が更に軽減される。そして、一方のリム部の外周面で図柄ベルトの一側縁を回転支持すると共に、他方のリム部の外周面で該図柄ベルトの他側縁を回転支持するよう構成することで、図柄ベルト裏面の摩耗や擦傷の発生等を軽減する。
【００１０】
また、駆動プーリと従動プーリとの間に、図柄ベルトの前側帯部分を裏側から支持するアイドルプーリを設置し、かつこのアイドルプーリにおける外周面の前縁を、前記駆動プーリおよび従動プーリの各外周面の前縁を結ぶ接線より、所要量だけ前方へオフセットした状態に配設したことにより、前記前側帯部分が前側へ湾曲して延在するようになるから、図柄ベルトの幅方向の中間部位の凹み変形が好適に防止され、該前側帯部分に到来した各図柄が歪んで見える等の不都合が好適に回避されて好適な図柄表示をなし得る。なお、アイドルプーリも可能な限り軽量に形成すると共に２分割にしてセット板に対し独立して回転可能に設置すれば、慣性が軽減が図られて駆動モータに対する負担は最小限に抑えられる。
【００１１】
【発明の実施の形態】
次に、本発明に係る図柄組合わせ遊技機用の図柄可変表示装置につき、好適な実施例を挙げて添付図面を参照しながら、以下詳細に説明する。ここで本実施例では、図柄組み合わせ遊技機としてパチンコ球を遊技媒体として使用するパチンコ機を例示すると共に、図柄可変表示装置として該パチンコ機に実施される回転ベルト形式の図柄可変表示装置を例示する。なお、本発明が対象とする遊技機は、パチンコ機に限らずアレンジボール機やスロットマシン等も対象とされる。
【００１２】
(パチンコ機)
そこで、先ず本実施例に係るパチンコ機につき、図６を参照しながら要約説明する。このパチンコ機Ｐは、その基本的な構成として、固定用の外郭枠とされる外枠Ａの開口前面側に、開閉用の搭載枠とされる前枠Ｂが、連結支持手段および施錠手段等を利用して着脱および開閉可能に組付けられている。そして、この前枠Ｂの前面側には、遊技機共通用の構成部材である横開き式のガラス扉Ｄを組付けた窓枠Ｃと、このガラス扉Ｄの下部において前枠Ｂに対して着脱および開閉可能に組付けられる開閉セット盤の前側にセットされた上球皿Ｅと、下段に位置する下球皿Ｆおよび打球発射装置Ｇ等が組付けられ、また後面側に機構セット盤(図示せず)が装備されている。また、前枠Ｂ裏側における収容枠体の正面内部に、所要の遊技領域を構成した遊技盤Ｈが着脱交換可能にセットされている。一方、貸し球の払出し制御に必要とされる球貸しシステム(カード式)Ｋが、パチンコ機Ｐの側方(外枠Ａの隣接部位)に設置されて各電子制御部と接続されている。
【００１３】
(遊技盤)
前記遊技盤Ｈは、図７に示すように、略円形状に湾曲形成したレール１０により囲まれた遊技領域１１の前側において、縦央やや下部に配設されてセーフ球をスイッチで検出し得る始動入賞具１２と、この始動入賞具１２の直上方に配置されて後述する本実施例の図柄可変表示装置Ｍの表示領域が整合する透視表示窓１４を形成した大型装飾部品１３と、風車とも称されて遊技球用の流下方向を任意に変向する案内車１５と、始動入賞具１２の直下方に設置された電動式の大型入賞装置Ｎと、遊技状態に応じて照射パターンが変更制御される電飾装置１６等を備えている。なお、図７中の符号１７はアウト口、符号Ｌは表示ラインを示している。
【００１４】
(図柄可変表示装置)
次に、前記遊技盤Ｈの裏側に設置される本実施例に係る図柄可変表示装置Ｍについて説明する。本実施例の図柄可変表示装置Ｍは、前記始動入賞具１２からの始動入力条件により、当該パチンコ機Ｐの背面所要位置に設置された制御基板(図示せず)から出力される制御信号に基づいて、３基の図柄表示ユニットＵにおける各図柄ベルト３７を、設定された変動パターンに基づいて所要時間に亘って回転させた後に停止する形式のものである。すなわち、この図柄可変表示装置Ｍは、図１および図２に示すように、前記遊技盤Ｈの裏側に整合して組付けられる収容ケース部材２０内に横並びの並列状態で収容セットされる３基の図柄表示ユニットＵ,Ｕ,Ｕ等から構成されている。
【００１５】
(収容ケース部材)
前記収容ケース部材２０は、図１に示す如く、方形枠状に成形されて前記遊技盤Ｈ裏側に整合する前枠体２１と、この前枠体２１の後側開口部に整合して内部に収容した各図柄表示ユニットＵの後側を被覆する後箱体２２とから構成されている。そして、前枠体２１と後箱体２２とを前後に整合させることで、３基の図柄表示ユニットＵ,Ｕ,Ｕを並列状態に収容セットするための収容室２３が内部に画成される。また後箱体２２の背面下部には、各図柄表示ユニットＵのセット板３０にビス固定した回路基板４０の中継コネクタ４４に整合する通口２４が開口形成されている一方、図示しない制御基板からの信号コード４６が連結される中継基板４５用の基板設置部２５が設けられている。
【００１６】
(図柄表示ユニット)
収容ケース部材２０の収容室２３内に並列状態に収容される３基の図柄表示ユニットＵは、基本的には構成が全く同一で、同ユニットＵの支持板ともされて前記収容室２３内に位置決め保持される１枚の固定支持手段としてのセット板３０単位でユニット化され、簡単に構成されて容易に取扱い得るようになっている。すなわち各図柄表示ユニットＵは、図５に示すように、前記セット板３０に配置された駆動モータ３２および張力調整用を含む複数のプーリ(回転体)３３,３４,３５,３６を有する回転駆動制御機構３１と、この回転駆動制御機構３１の各プーリ外周間に無端状態で展張掛装されたフィルム製でマーク式の図柄ベルト３７と、この図柄ベルト３７の移動過程で図柄の位置検出をなす光学的な検出手段３８と、前記図柄ベルト３７の前側帯部分３７ａに到来した図柄を内側から適宜照明する照明手段３９等から構成されている。
【００１７】
(セット板)
前記セット板３０は、例えばガラス繊維入りの合成樹脂板材より前記収容ケース部材２０の収容室２３の内側サイズに整合する略長方形に成形され、各部分に各種部材用の取付孔や放熱孔等が成形されている。そして、セット板３０の裏面略中央には、駆動モータ用回路４１、検出手段用回路４２、照明用回路４３をプリント形成すると共に中継コネクタ４４を配設した前記回路基板４０が固定されており、夫々の回路４１,４２,４３に駆動モータ３２、検出手段３８、照明手段３９が電気的に接続されて、前記中継コネクタ４４に集約されるようになっている。また、各図柄表示ユニットＵにおける夫々の回路基板４０は、中継コネクタ４４を介して前記１枚の中継基板４５に電気的に接続され、この中継基板４５および信号コード４６を介して図示しない制御基板の入出力制御部に電気的に接続されるようになっている。
【００１８】
(回転駆動制御機構)
前記回転駆動制御機構３１は、前記セット板３０の表面において、該セット板３０の下部所定位置にビス４８等で固定された前記駆動モータ３２と、前記モータ３２の駆動軸３２ａに連結セットされた駆動プーリ(駆動回転体)３３と、該セット板３０の上部所定位置に回転自在に支持された小径の従動プーリ(従動回転体)３４と、この従動プーリ３４の後方側に配設された張力調整用のテンションプーリ(従動回転体)３５と、前記駆動プーリ３３および従動プーリ３４の間に配設された前記照明手段３９の左右両側に臨む大径のアイドルプーリ(支持回転体)３６とから構成されている。そして、これら駆動プーリ３３、従動プーリ３４、テンションプーリ３５およびアイドルプーリ３６の各外周間に、前記図柄ベルト３７が展張状態で掛装されるようになっている。すなわち、実施例の図柄可変表示装置Ｍにおける各図柄表示ユニットＵでは、図８に示した従来の図柄表示ユニットＵと比較すると、前記セット板３０における前記駆動プーリ３３と従動プーリ３４との間に、図柄ベルト３７の前記前側帯部分３７ａを裏側から支持するアイドルプーリ３６を追加設置すると共に、また各プーリ３３,３４,３５,３６の軽量化を図ったものである。
【００１９】
(駆動プーリ)
駆動プーリ３３は、リム部５１およびスポーク部５２からなる合成樹脂製の第１駆動プーリ(第１半体)４９および第２駆動プーリ(第２半体)５０を相互に対向接合した籠車形を呈しており、夫々のプーリ４９,５０を前記駆動モータ３２の駆動軸３２ａにビス４８で組付けた際には、第１駆動プーリ４９の内側に該駆動モータ３２が収容されるようになっている。そして、夫々のプーリ４９,５０におけるリム部５１,５１の外周面５１ａ,５１ａで、前記図柄ベルト３７の幅方向の左側縁(一側縁)および右側縁(他側縁)を支持するようになっている一方、第１駆動プーリ４９の外周面５１ａには所要間隔毎に突起５３が形成されてスプロケット状を呈している。従って、図８に示した従来の駆動プーリ３３と比較すると、リム部の中間部位が大きく取り除かれているから、少なくともこの部分に相当する材料分が減量されて大幅な軽量化が図られ、これに伴って慣性も大幅に軽減化されている。これにより駆動プーリ３３は、両端部位に設けた幅狭の各リム部５１,５１の外周面５１ａ,５１ａだけで図柄ベルト３７の裏面の両側縁部に接しており、該ベルト３７の両側縁部を除く裏面の大部分は駆動プーリ３３と非接触状態で回転移動するようになる。
【００２０】
(従動プーリ)
前記従動プーリ３４は、セット板３０表側の上部前方部位に水平に固定された回転支軸５５に回転自在に配設され、正面左側に位置する合成樹脂製の第１従動プーリ(第１半体)３４Ａと、正面右側に位置して該第１従動プーリ(第２半体)３４Ａと左右対称形状に形成された合成樹脂製の第２従動プーリ３４Ｂとに分割構成され、夫々の従動プーリ３４Ａ,３４Ｂは前記セット板３０に対して独立して回転支持されている。このうち第１従動プーリ３４Ａは、前記回転支軸５５に外嵌される支持筒部５６と、この支持筒部５６の両側に複数のスポーク５９を介して形成されたリム部５７とからなり、このリム部５７の外周面５７ａで前記図柄ベルト３７の左側縁(一側縁)を支持するようになっている。また第２従動プーリ３４Ｂは、前記回転支軸５５に外嵌される支持筒部５６と、この支持筒部５６の両側に複数のスポーク５９を介して形成されたリム部５７とからなり、このリム部５７の外周面５７ａで前記図柄ベルト３７の右側縁(他側縁)を支持するようになっている。更に、前記両リム部５７,５７の外側面には、図柄ベルト３７の外れ防止を図るためのフランジ５８が一体成形されている。従って、図８に示した従来の従動プーリ３４と比較すると、リム部の中間部位が大きく取り除かれているから、少なくともこの部分に相当する材料分が減量されてかなりの軽量化が図られ、左右２分割したことにより慣性も大幅に軽減化されている。これにより従動プーリ３４は、両端部位に設けた幅狭の各リム部５７,５７の外周面５７ａ,５７ａだけで図柄ベルト３７の裏面の両端縁部に接しており、該ベルト３７の両端縁部を除く裏面の大部分は従動プーリ３４と非接触状態で回転移動するようになる。
【００２１】
(テンションプーリ)
前記テンションプーリ３５は、セット板３０表側の後方において水平に固定された揺動支軸６０に揺動可能に支持されたアーム６１の上端部位に回転支軸６３を介して回転自在に配設され、正面左側に位置する合成樹脂製の第１テンションプーリ(第１半体)３５Ａと、正面右側に位置する合成樹脂製の第２テンションプーリ３５Ｂとに分割構成され、夫々のテンションプーリ３５Ａ,３５Ｂは前記アーム６１に対して独立して回転支持されている。前記第１テンションプーリ３５Ａは、前記回転支軸６３に外嵌される支持筒部７７と、この支持筒部７７の両側に複数のスポーク７８を介して形成されたリム部７９とからなり、このリム部７９の外周面７９ａで前記図柄ベルト３７の裏面の左側を支持するようになる。また第２テンションプーリ３５Ｂは、前記回転支軸６３に外嵌される支持筒部７７と、この支持筒部７７の両側に複数のスポーク７８を介して形成されたリム部７９とからなり、このリム部７９の外周面７９ａで前記図柄ベルト３７の裏面の右側を支持するようになる。従って、図８に示した従来のテンションプーリ３５と比較すると、軽量化が図られていると共に左右２分割したことにより慣性の軽減化も図られている。なお前記アーム６１は、捻りスプリング６２により常には図１の反時計方向へ揺動付勢されており、前記テンションプーリ３５は該スプリング６２の付勢下に図柄ベルト３７の裏面へ圧接され、該図柄ベルト３７を常に適正な伸張状態に保持しながら案内し得るようになっている。なおテンションプーリ３５は、第１テンションプーリ３５Ａおよび第２テンションプーリ３５Ｂが相互に隣接する中間部位の外径が若干大きくに設定されて全体が所謂樽形状に形成されており、図柄ベルト３７の好適な展張支持および外れ防止を図るようになっている。
【００２２】
(アイドルプーリ)
駆動プーリ３３と従動プーリ３４との間に追加設置された前記アイドルプーリ３６は、図１〜図３に示すように、セット板３０表側の略中央部位でかつ照明手段３９の後側に水平に固定された回転支軸６５に回転自在に配設され、正面左側に位置する合成樹脂製の第１アイドルプーリ(第１半体)３６Ａと、正面右側に位置して該第１アイドルプーリ３６Ａと左右対称形状に形成された合成樹脂製の第２アイドルプーリ(第２半体)３６Ｂとから構成され、夫々のアイドルプーリ３６Ａ,３６Ｂは前記セット板３０に対して独立して回転支持されている。このうち第１アイドルプーリ３６Ａは、照明手段３９のカバー部材８０の左側方(一側方)に位置した幅狭で比較的大径のリム部６７および前記回転支軸６５に外嵌される支持筒部６６が複数本(図示１０本)のスポーク６８で連結され、このリム部６７の外周に形成された第１支持面(外周面)６７ａで図柄ベルト３７における前記前側帯部分３７ａの左側縁(一側縁)を支持するようになっている。また第２アイドルプーリ３６Ｂは、照明手段３９のカバー部材８０の右側方(他側方)に位置した幅狭で比較的大径のリム部６７および前記回転支軸６５に外嵌される支持筒部６６が複数本(図示１０本)のスポーク６８で連結され、このリム部６７の外周に形成された第２支持面(外周面)６７ｂで図柄ベルト３７における前記前側帯部分３７ａの右側縁(他側縁)を支持するようになっている。
【００２３】
そして、第１アイドルプーリ３６Ａおよび第２アイドルプーリ３６Ｂは、図１に示すように、夫々のリム部６７,６７における前記各支持面６７ａ,６７ｂの前縁が、前記駆動プーリ３３における外周面５１ａの前縁および前記従動プーリ３４における外周面５７ａの前縁を結ぶ接線Ｓから、所要量だけ前方(図１右側)へオフセットした状態に配設されている。これにより前側帯部分３７ａは、図面から明らかなように、前記駆動プーリ３３と従動プーリ３４およびアイドルプーリ３６の各支持面６７ａ,６７ｂに接する比較的大径の疑似円の一部をなす疑似円弧状に延在するようになる。従って、当該図柄表示ユニットＵを収容した図柄可変表示装置Ｍを遊技盤Ｈの裏側へ装着した際には、図柄ベルト３７の疑似円弧状に延在する前記前側帯部分３７ａが、透視表示窓１４の側へ湾曲しながら臨むように設定されている。
【００２４】
また前記図柄ベルト３７の前側帯部分３７ａは、駆動プーリ３３、従動プーリ３４およびアイドルプーリ３６により、左側縁部および右側縁部だけが支持されているから、支持されない裏面の中間部位の凹み変形が危惧されるが、疑似円弧状に延在していることにより中間部位の凹み変形が好適に防止されるようになっている。すなわち既知の如く、前記図柄ベルト３７等の帯状体では、直線状態とされる場合は幅方向の中間部位が凹み易くなるが、湾曲状態や屈曲状態とされた場合は中間部位の凹みが好適に防止される特性を有している。この特性を利用した前側帯部分３７ａでは、中間部位に凹みが生じないから、この前側帯部分３７ａに到来した各図柄７１が歪んで見える等の不都合が好適に回避され、好適な図柄表示をなし得る。また前側帯部分３７ａは、上下略中間部位が前記アイドルプーリ３６で支持されることにより、回転移動時に前後・左右への振れやブレ等の発生も好適に防止される。
【００２５】
(図柄ベルト)
前記図柄ベルト３７は、所要長に形成された図柄表示体における長手方向の両端部同士を溶着接合して、極めて抗張力が高く伸縮変化の小さい無端ベルトに構成されて、前記回転駆動制御機構３１における各プーリ３３,３４,３５,３６の外周間に亘り、図１および図５に示すように掛装セットされている。すなわち図柄ベルト３７は、前記テンションプーリ３５に作用する付勢力により常には全体的に適正な展張状態に保持されているもとで、前記駆動プーリ３３の各外周面５１ａ,５１ａの略半周分に亘り常に掛け受けされる一方、駆動プーリ３３と従動プーリ３４との間に亘る前側帯部分３７ａは、前記アイドルプーリ３６により前方側へ湾曲した疑似円弧状に展張され、駆動プーリ３３とテンションプーリ３５との間に亘る後側帯部分３７ｂは略垂直の直線状態に展張される。また図柄ベルト３７の一方の側縁部(右側縁)には、前記駆動プーリ３３に設けた各突起５３が係合可能な係止孔７０が所要間隔毎に穿設されており、駆動プーリ３３の回転下に各突起５３が夫々の係止孔７０と順次係合・分離することにより図柄ベルト３７の滑りが好適に回避され、図柄ベルト３７の安定かつ確実な回転移動を実現し得るようになっている。なお図柄ベルト３７は、前記テンションプーリ３５を支持するアーム６１の姿勢変位を利用して(図１の時計方向へ強制的に揺動させる)、手早く着脱交換可能となっている。
【００２６】
前述した図柄ベルト３７の母体である図柄表示体は、具体的には抗張力が高く伸縮変化の小さい２枚の透明な極薄フィルム状材(例えばポリエステル、肉厚２５〜４０μｍ)をラミネートしたものを使用し、所定の印刷裁断加工技術に基づいて所定の長さおよび幅寸法に成形されたものである。そして、図５に示すように、当り用および外れ用を含む複種類の図柄(便宜上アルファベット文字で略字する)７１が、所定順序および間隔毎に形成配置されている一方、適宜選定した１個の基準となる図柄７１(便宜上Ａと表示した図柄)と残りの各図柄７１に対する所要位置に、前記検出手段３８で検出される１個の基準マーク７２および複数個の図柄マーク７３が形成されている。
【００２７】
(検出手段)
前記検出手段３８は、図柄ベルト３７の連続移動過程で基準マーク７２の検出時に該ベルト３７の１回転毎の位置決め基準検出をなし、この検出時を基準にして各位置の図柄マーク７３を１つずつ検出するものであって、発光部と受光部とを有する光センサ７５が利用される。そして、図柄ベルト３７の前側帯部分３７ａに対する下方部に並列状態で設置されて、前記回路基板４０における検出手段用回路４２に電気的に接続されている。なお検出手段３８は、光透過形式の両センサ７５,７５が基準マーク７２および図柄マーク７３に対して、非光透過状態(光遮蔽状態)を呈した時点で有検出(コード信号「１」)に変換されるように設定されている。
【００２８】
(照明手段)
前記照明手段３９は、図１〜図４に示すように、前記アイドルプーリ３６における第１アイドルプーリ３６Ａおよび第２アイドルプーリ３６Ｂの夫々のリム部６７,６７間への収容が許容される幅寸法に設定された光反射用のカバー部材８０に、前記照明手段用回路４３に電気的に接続される基板８１に配設された３個のランプ８２,８２,８２を組付けて構成されている。前記カバー部材８０は、前側帯部分３７ａに到来した３コマ分の図柄７１の好適な照明を図るために、前記カバー部材８０を縦長に形成してその上部および下部はアイドルプーリ３６の上下から突出するサイズに設定すると共に、その前端縁部８０ｂを、図柄ベルト３７の前記前側帯部分３７ａに沿った疑似円弧状に形成し、かつ各ランプ８２,８２,８２の間に仕切壁８０ａが形成してある。これにより実施例の照明手段３９では、疑似円弧状に延在する前側帯部分３７ａに沿ってケース部材８０および３個の各ランプ８２,８２,８２が適切な間隔および距離を以て配設されるので、所定の発光照射条件に基づいて対応の図柄７１を内側から直接照射し得ると共に、上,中,下の夫々の図柄７１の明確な区分照明を図り得るようになっている。なお各ランプ８２,８２,８２は、所要の発光色をもつＬＥＤランプや丸形蛍光ランプ等が好適に使用可能である。また前記カバー部材８０の設置は、具体的に図示しないが、前記アイドルプーリ３６における第１および第２の各アイドルプーリ３６Ａ,３６Ｂの夫々の支持筒部６６を適宜短くすることを前提として、該カバー部材８０の背面部分を前記回転支軸６５に直接掛止させて固定するようにしてもよい。
【００２９】
前述のように、１枚のセット板３０単位で構成された３基の図柄表示ユニットＵは、図２に示すように、前記収容ケース部材２０の収容室２３内に並列状態で収容セットすることで、当該図柄可変表示装置Ｍにおける左列,中列,右列からなる１組の実体表示部とされる。そして、各図柄表示ユニットＵにおける夫々の回路基板４０を、中継コネクタ４４を介して前記中継基板４５に連結したもとで、該中継基板４５を図示しない制御基板に接続することで、該制御基板により夫々の図柄表示ユニットＵ,Ｕ,Ｕの駆動制御が可能とされる。
【００３０】
【実施例の作用】
次に、前述のように構成された本実施例に係る図柄組合わせ遊技機用の図柄可変表示装置の作用につき説明する。
【００３１】
(図柄可変表示装置のセット)
前述のように構成された３基の図柄表示ユニットＵ,Ｕ,Ｕを、収容ケース部材２０の収容室２３内へ並列的に収容して組み立てられた実施例の図柄可変表示装置Ｍは、透視表示窓１４を有する前記遊技盤Ｈの裏側の所定位置へ、ビスや適宜固定手段等を用いて組付装着する。これにより各図柄表示ユニットＵでは、図１に示すように、図柄ベルト３７における疑似円弧状の前記前側帯部分３７ａが、遊技盤Ｈに設置した大型装飾部品１３における透視表示窓１４の後側に整合するようになる。
【００３２】
そして、当該パチンコ機Ｐでのゲーム開始に伴い、前記始動入賞具１２への入球による始動入賞スイッチの検出信号(始動信号)が前記制御基板へ入力されると、該制御基板での処理結果として設定された変動パターンに対応した図柄変動制御が実行される。すなわち各図柄表示ユニットＵでは、回転駆動制御機構３１における前記駆動モータ３２が駆動制御されることにより、駆動プーリ３３、従動プーリ３４、テンションプーリ３５およびアイドルプーリ３６に展張掛装された図柄ベルト３７が回転移動し、また前記検出手段３８による基準マーク７２および図柄マーク７３の検出に基づいて各図柄７１の位置検出を行なう一方、更に前記照明手段３９により前側帯部分３７ａに到来する図柄７１を裏側から照明する。そして、制御基板で設定された変動パターンに基づいた変動制御の完了後に、各図柄表示ユニットＵの回転駆動制御機構３１の停止制御に基づいて図柄ベルト３７が移動停止し、前記前側帯部分３７ａに到来した所要の図柄７１を前記透視表示窓１４の表示ラインＬ上に表示させる。
【００３３】
ここで実施例の図柄可変表示装置Ｍでは、前記各図柄表示ユニットＵにおける図柄ベルト３７の前側帯部分３７ａが前側へ湾曲した疑似円弧状に延在しているため、この前側帯部分３７ａに到来する各図柄７１は、前記透視表示窓１４の側へ近接するようになる。従って、透視表示窓１４を介して透視される各図柄７１の視認性が高められ、当該パチンコ機Ｐの前面に着座して遊技をしている遊技者に対する図柄表示効果が好適に向上する。しかも、前側帯部分３７ａが直線状に延在している従来の可変図柄表示装置Ｍ(図８)と比較すると、疑似円弧状に延在している本実施例の前側帯部分３７ａの方が延在長さが長くなっているから、これに伴って表示領域が拡大して図柄表示効果がより一層向上している。
【００３４】
また、前記図柄ベルト３７の前側帯部分３７ａが疑似円弧状に延在しているから、この前側帯部分３７ａにおける幅方向の中間部位の凹み変形が好適に防止されるので、該前側帯部分３７ａに到来した各図柄７１が歪んで見える等の不都合が好適に回避され、好適な図柄表示をなし得る。
【００３５】
更に、疑似円弧状に延在している前側帯部分３７ａの裏側に沿って前記照明手段３９が臨んでいるので、この前側帯部分３７ａに到来した図柄７１が各ランプ８２で直接的に照明され、拡大した表示領域全体を確実かつ均一的に照明可能となり、照明効果が高まることによる図柄表示効果の向上も図られる。
【００３６】
また、各図柄表示ユニットＵにおける回転駆動制御機構３１では、駆動プーリ３３、従動プーリ３４、テンションプーリ３５およびアイドルプーリ３６の大幅な軽量化を図る一方、これに加えて従動プーリ３４とテンションプーリ３５およびアイドルプーリ３６は左右に２分割して独立回転するようになっているから、各プーリ３３,３４,３５,３６は慣性の大幅な軽減化が図られて、駆動モータ３２の起動加速時の立上げおよび減速停止時の立下げが非常に軽快かつスムーズとなり、該駆動モータ３２に対する負担が軽減されると共に、誤動作発生や図柄ベルト３７裏面の摩耗や擦傷の発生等も好適に防止される。なお、追加設置されたアイドルプーリ３６は、可能な限り軽量に形成されていると共に左右の第１アイドルプーリ３６Ａおよび第２アイドルプーリ３６Ｂに２分割した構成としたから、このアイドルプーリ３６も慣性が軽減されて前記駆動モータ３２に対する負荷が最小限に抑えられる。
【００３７】
更に、駆動プーリ３３、従動プーリ３４およびアイドルプーリ３６は、幅広のリム部における外周面全面で図柄ベルト３７の裏面に接するのではなく、幅狭のリム部５１,５７,６７における外周面５１ａ,５７ａおよび支持面６７ａ,６７ｂで、該図柄ベルト３７裏面の左側縁部および右側縁部だけに接して支持するようになっている。従って、図柄ベルト３７裏面の摩耗防止や擦傷形成防止に加えて、塵埃やタバコのヤニ等による汚れ付着、等の発生も好適に軽減される。すなわち、駆動プーリ３３、従動プーリ３４、テンションプーリ３５およびアイドルプーリ３６のうちの少なくとも一つは、幅方向の両側端部に所要幅のリム部を設けた構造となっているから、一方のリム部の外周面で図柄ベルト３７の一側縁を回転支持すると共に、他方のリム部の外周面で該図柄ベルト３７の他側縁を回転支持するようになり、前述した夫々の効果が好適に発揮される。但し、望ましくは全てのプーリ３３,３４,３５,３６に関して、幅方向の両側端部に所要幅のリム部を設けた構造とすれば、図柄ベルト３７の裏面の両側端部を除く領域が各プーリ３３,３４,３５,３６と全く接触しなくなり、摩耗防止や擦傷形成防止および汚れ付着防止等の各効果の更なる向上が期待される。
【００３８】
なお実施例の図柄可変表示装置Ｍでは、前記セット板３０に対する前記アイドルプーリ３６の配設位置を前後に変更することで、前記駆動プーリ３３と従動プーリ３４の各外周面５１ａ,５７ａおよびアイドルプーリ３６の各支持面６７ａ,６７ｂに接する疑似円の外径が変化するから、これに伴って前側帯部分３７ａの疑似円弧の曲率を変更することが可能である。例えば、前記アイドルプーリ３６を更にセット板３０の前側方向へオフセットさせて設置すれば、前側帯部分３７ａの疑似円弧の曲率が更に小さくなって、透視表示窓１４の側へ近接させ得るようになる。
【００３９】
すなわち図柄可変表示装置Ｍでは、同装置Ｍの前後サイズを大きくすることなく、図柄ベルト３７の前側帯部分３７ａを前記アイドルプーリ３６の外径以上の曲率の疑似円弧とすることが可能である。
【００４０】
そして、前記図柄可変表示装置Ｍをスロットマシンに採用する場合には、前記駆動モータ３２や各プーリ３３,３４,３５,３６を含む回転駆動制御機構３１の大型化および重量化に伴い、前記セット板３０よりも剛性が高い適宜の固定支持手段、例えば金属製のセット板等が採用される。更にスロットマシンでは、前記パチンコ機Ｐの構成部材である前記遊技盤Ｈが装備されていないから、図柄可変表示装置Ｍは当該スロットマシンの筐体内部に収納された状態で設置され、また各図柄表示ユニットＵにおける図柄ベルト３７の前側帯部分３７ａは、前記筐体の前面化粧扉に設けた透視表示窓へ整合して臨むようになる。
【００４１】
【発明の効果】
以上説明した如く、本発明に係る図柄組合わせ遊技機用の図柄可変表示装置によれば、各図柄表示ユニットにおいて、図柄ベルトを展張掛装する全てのプーリは、幅方向の両側端部に所要幅のリム部を設けて、一方のリム部の外周面で図柄ベルトの一側縁を回転支持すると共に、他方のリム部の外周面で該図柄ベルトの他側縁を回転支持するよう構成した。これにより、プーリの軽量化が図られるので、駆動モータの起動・停止時における負荷が軽減されると共に図柄ベルト裏面への汚れの付着等が軽減される有益な利点がある。しかも、駆動プーリを除くプーリを、２分割にして固定支持手段に対し独立して回転可能に設置したことにより、これらプーリの慣性が大幅に軽減化されるから、誤動作防止および図柄ベルト裏面の摩耗や擦傷の形成防止も好適に図り得る。
【００４２】
また、駆動プーリと従動プーリとの間に、図柄ベルトの前側帯部分を裏側から支持するアイドルプーリを設置し、かつこのアイドルプーリにおける外周面の前縁を、前記駆動プーリおよび従動プーリの各外周面の前縁を結ぶ接線よりも所要量だけ前方へオフセットした状態に配設したことにより、前記前側帯部分が前側へ湾曲して延在するようになるから、図柄ベルトの幅方向の中間部位の凹み変形が好適に防止され、該前側帯部分に到来した各図柄が歪んで見える等の不都合が好適に回避されて好適な図柄表示をなし得る利点もある。なおアイドルプーリも、可能な限り軽量に形成すると共に２分割にして固定支持手段に対し独立して回転可能に設置すれば、慣性が軽減化されて駆動モータに対する負担は最小限に抑えられる。
【図面の簡単な説明】
【図１】本発明の好適実施例に係る図柄可変表示装置を、遊技盤の後側に装着した状態で示す側断面図である。
【図２】実施例の図柄可変表示装置を、内部構成を表示するために一部破断して示す正面図である。
【図３】図柄表示ユニットを、アイドルプーリを配設した部位で破断した平断面図である。
【図４】アイドルプーリの内側に設置される照明手段を、ランプを配設したランプ基板をカバー部材にセットする状態で示す斜視図である。
【図５】図１に示す図柄表示ユニットの分解斜視図である。
【図６】実施例に係る図柄可変表示装置を装着したパチンコ機の正面図である。
【図７】図６に示したパチンコ機に実施され、後側に図柄可変表示装置を装着した遊技盤の正面図である。
【図８】従来から実施例されている図柄可変表示装置を、遊技盤の後側に装着した状態で示す側断面図である。
【図９】図８に示す図柄表示ユニットの分解斜視図である。
【符号の説明】
３０  セット板(固定支持手段)
３２  駆動モータ
３２ａ  駆動軸(軸)
３３  駆動プーリ
３４  従動プーリ
３４Ａ  第１従動プーリ(第１半体)
３４Ｂ  第２従動プーリ(第２半体)
３５  テンションプーリ
３５Ａ  第１テンションプーリ(第１半体)
３５Ｂ  第２テンションプーリ(第２半体)
３６  アイドルプーリ
３６Ａ  第１アイドルプーリ(第１半体)
３６Ｂ  第２アイドルプーリ(第２半体)
３７  図柄ベルト
３７ａ  前側帯部分
３７ｂ  後側帯部分
５１  リム部
５１ａ  外周面
５２  スポーク部
５３  突起
５５  回転支軸(軸)
５７  リム部
５９  スポーク部(スポーク)
５７ａ  外周面
６０  揺動支軸
６３   回転支軸(軸)
６５   回転支軸(軸)
６７  リム部
６７ａ  第１支持面(外周面)
６７ｂ  第２支持面(外周面)
６８  スポーク部
７０  係止孔
７８  スポーク部(スポーク)
７９  リム部
７９ａ  外周面
Ｓ  接線
【図１】
0004628533.tif 000002
【図２】
0004628533.tif 000003
【図３】
0004628533.tif 000004
【図４】
0004628533.tif 000005
【図５】
0004628533.tif 000006
【図６】
0004628533.tif 000007
【図７】
0004628533.tif 000008
【図８】
0004628533.tif 000009
【図９】
0004628533.tif 000010